(57)【要約】【課題】  複数の商品の販売を前提とし、顧客が個々の商品価格を把握しづらくしつつ、複数の商品の組合せに対する価格の値引きを実現する。【解決手段】  このシステムでは、装置１の検出回路１３は、複数の商品に付された複数のＩＣタグから複数の商品ＩＤを検出する。計算装置２は、複数の商品ＩＤの個数、並びに複数の商品ＩＤの一部または全部の組合せのうちの少なくとも１つに基づいて、複数の商品における各商品の値引き後の価格を特定し、複数の商品の値引き後の価格の合計を計算する。そして、装置１の表示装置１６は、各商品の値引き後の価格を表示せず、前記複数の商品の値引き後の価格の合計を表示する。【選択図】図１
2010204787.tif 000002
【特許請求の範囲】
【請求項１】
複数の商品に付された複数のＩＣタグから複数の商品ＩＤを検出する検出回路と、
前記複数の商品ＩＤの個数、並びに前記複数の商品ＩＤの一部または全部の組合せのうちの少なくとも１つに基づいて計算された、前記複数の商品における各商品の値引き後の価格の合計を表示し、
値引き後の価格情報として、前記各商品の値引き後の価格を表示しない表示装置と、
を備えることを特徴とする商品組合せ価格表示装置。
【請求項２】
顧客が前記複数の商品を置くための台と、
前記顧客が操作する入力装置とを備え、
前記表示装置は、前記台に前記複数の商品が置かれた状態で前記入力装置が操作されると、前記複数の商品の値引き後の合計価格を表示すること、
を特徴とする請求項１記載の商品組合せ価格表示装置。
【請求項３】
複数の商品に付された複数のＩＣタグから複数の商品ＩＤを検出する検出手段と、
前記複数の商品ＩＤの個数、並びに前記複数の商品ＩＤの一部または全部の組合せのうちの少なくとも１つに基づいて、前記複数の商品における各商品の値引き後の価格を特定し、前記複数の商品の値引き後の価格の合計を計算する計算手段と、
前記各商品の値引き後の価格を表示せず、前記複数の商品の値引き後の価格の合計を表示する表示手段と、
を備えることを特徴とする商品組合せ価格表示システム。
【請求項４】
前記計算手段は、前記複数の商品ＩＤから、前記複数の商品における同一ブランドの商品を特定し、同一ブランドの商品の、正規価格の合計、商品個数および組合せの少なくとも１つに基づいて、その同一ブランドの商品の個別の値引き額を決定することを特徴とする請求項３記載の商品組合せ価格表示システム。
【請求項５】
顧客の有するＩＤ装置から顧客ＩＤを取得するＩＤリーダを備え、
前記計算手段は、前記顧客ＩＤの顧客のログイン履歴または購入履歴に基づいて、値引き額を調整すること、
を特徴とする請求項４記載の商品組合せ価格表示システム。
【発明の詳細な説明】
【技術分野】
【０００１】
本発明は、商品組合せ価格表示装置および商品組合せ価格表示システムに関するものである。
【背景技術】
【０００２】
顧客が商品を選択し買物カートに入れる際にバーコードを読み取らせ、買物カートに設置された表示装置により商品の合計金額が表示されるシステムがある（例えば特許文献１参照）。
【先行技術文献】
【特許文献】
【０００３】
【特許文献１】特開２００６−３３４２０６号公報
【発明の概要】
【発明が解決しようとする課題】
【０００４】
アパレル分野などの商品は、初めに標準価格で販売され、残った商品が、セールの際に、値引きされて販売される。近年、各地にアウトレットモールが開発され、アウトレットモール内で各種の有名ブランドのアウトレットショップが開業している。通常、アウトレットショップでは、正規店舗で取り扱わない商品（セールの売れ残り品など）が低価格で販売される。
【０００５】
しかしながら、不況時など、ブランド全体での売上が低いときには、売上の増加の目的として、アウトレットショップへ正規店舗と同じ商品を投入することもある。顧客側から見ると、同一の商品が低価格で販売されていることがわかれば、当然、アウトレットショップで購入することになる。このため、正規店舗と同一の商品を低価格で販売することにより、正規店舗で商品が売れなくなったり、正規店舗での値崩れが発生したりすることがある。
【０００６】
本発明は、上記の問題に鑑みてなされたものであり、複数の商品の販売を前提とし、各商品の個別の価格は表示せずに、複数の商品の組合せに対する価格のみを表示することで、顧客が個々の商品価格を把握しづらくしつつ、複数の商品の組合せに対する価格の値引きを実現することができる商品組合せ価格表示装置および商品組合せ価格表示システムを得ることを目的とする。
【０００７】
なお、上述の特許文献１の技術では、商品棚で表示されている商品個別の価格の合計を計算し表示するだけであるため、この目的を実現することはできない。
【課題を解決するための手段】
【０００８】
上記の課題を解決するために、本発明では以下のようにした。
【０００９】
本発明に係る商品組合せ価格表示装置は、複数の商品に付された複数のＩＣタグから複数の商品ＩＤを検出する検出回路と、複数の商品ＩＤの個数、並びに複数の商品ＩＤの一部または全部の組合せのうちの少なくとも１つに基づいて計算された、複数の商品における各商品の値引き後の価格の合計を表示し、値引き後の価格情報として、各商品の値引き後の価格を表示しない表示装置とを備える。
【００１０】
これにより、複数の商品の販売を前提とし、各商品の個別の価格は表示せずに、複数の商品の組合せに対する価格のみを表示することで、顧客が個々の商品価格を把握しづらくしつつ、複数の商品の組合せに対する価格の値引きを実現することができる。このため、このような値引きを行う店舗（アウトレットショップなど）を正規店舗とは別に設置したとしても、そのような店舗での個別価格と正規店舗での個別価格との差額が顧客には明確にわからず、正規店舗での値崩れなどが発生しづらい。
【００１１】
また、本発明に係る商品組合せ価格表示装置は、上記の商品組合せ価格表示装置に加え、次のようにしてもよい。この場合、この装置は、顧客が複数の商品を置くための台と、顧客が操作する入力装置とを備える。そして、表示装置は、台に複数の商品が置かれた状態で入力装置が操作されると、複数の商品の値引き後の合計価格を表示する。
【００１２】
本発明に係る商品組合せ価格表示システムは、複数の商品に付された複数のＩＣタグから複数の商品ＩＤを検出する検出手段と、複数の商品ＩＤの個数、並びに複数の商品ＩＤの一部または全部の組合せのうちの少なくとも１つに基づいて、複数の商品における各商品の値引き後の価格を特定し、複数の商品の値引き後の価格の合計を計算する計算手段と、各商品の値引き後の価格を表示せず、複数の商品の値引き後の価格の合計を表示する表示手段とを備える。
【００１３】
また、本発明に係る商品組合せ価格表示システムは、上記の商品組合せ価格表示システムに加え、次のようにしてもよい。この場合、計算手段は、複数の商品ＩＤから、複数の商品における同一ブランドの商品を特定し、同一ブランドの商品の、正規価格の合計、商品個数および組み合わせの少なくとも１つに基づいて、その同一ブランドの商品の個別の値引き額を決定する。
【００１４】
また、本発明に係る商品組合せ価格表示システムは、上記の商品組合せ価格表示システムのいずれかに加え、次のようにしてもよい。この場合、このシステムは、顧客の有するＩＤ装置から顧客ＩＤを取得するＩＤリーダを備える。そして、計算手段は、顧客ＩＤの顧客のログイン履歴または購入履歴に基づいて、値引き額を調整する。
【発明の効果】
【００１５】
本発明によれば、複数の商品の販売を前提とし、各商品の個別の価格は表示せずに、複数の商品の組合せに対する価格のみを表示することで、顧客が個々の商品価格を把握しづらくしつつ、複数の商品の組合せに対する価格の値引きを実現することができる。
【図面の簡単な説明】
【００１６】
【図１】図１は、本発明の実施の形態に係る商品組合せ価格表示システムの構成を示すブロック図である。
【図２】図２は、本発明の実施の形態に係る商品組合せ価格表示装置の外観を示す斜視図である。
【図３】図３は、図１に示すシステムにおいて実行される処理を説明するフローチャートである。
【発明を実施するための形態】
【００１７】
以下、図に基づいて本発明の実施の形態を説明する。
【００１８】
図１は、本発明の実施の形態に係る商品組合せ価格表示システムの構成を示すブロック図である。
【００１９】
このシステムは、所定の数以上の商品の合計価格を、その商品組合せなどに基づいて値引き額を決定し、個別の商品価格を知らせずに、値引き後の合計価格のみを表示する。このため、各商品には、値引き後の価格の情報（例えば商品タグなど）は一切付されていない。なお、必要に応じて正規価格を示す商品タグなどを商品に付しておいてもよい。
【００２０】
図１に示すシステムは、商品組合せ価格表示装置１、計算装置２およびＤＢサーバ３を有する。装置１，２およびサーバ３は、無線または有線のネットワーク４に接続されており、互いにデータ通信が可能である。また、ネットワーク４には、レジスタ５が接続されている。
【００２１】
商品組合せ価格表示装置１は、台１１、ＩＣタグ用アンテナ１２、検出回路、制御装置１４、通信装置１５、表示装置１６および入力装置１７を有する。図２は、本発明の実施の形態に係る商品組合せ価格表示装置１の外観を示す斜視図である。
【００２２】
台１１は、複数の商品１０１，１０２を置くことができるように筐体表面に形成される。ＩＣタグ用アンテナ１２は、台１１の筐体内側に配置され、電波または電磁波をＩＣタグ１１１，１１２へ送出するとともに、ＩＣタグ１１１，１１２からの電波または電磁波を感受する。なお、ＩＣタグは、ＲＦＩＤなどである。
【００２３】
検出回路１３は、アンテナ１２を介して複数の商品１０１，１０２に付されたＩＣタグ１１１，１１２と通信しその商品１０１，１０２の商品ＩＤを取得する。検出回路１３は、例えばＩＣタグリーダである。
【００２４】
制御装置１４は、入力装置１７により検出された顧客による操作、検出回路１３により取得された商品ＩＤ、通信装置１５により受信された応答データなどに従って、通信装置１５および表示装置１６を制御する装置である。例えば、制御装置１４は、制御プログラムに従って動作するコンピュータとして実現可能である。
【００２５】
通信装置１５は、ネットワーク４に接続され、他の装置（計算装置２など）とデータ通信を行う装置である。通信装置１５としては、例えばネットワークインタフェースが使用される。
【００２６】
表示装置１６は、複数の商品ＩＤの個数、並びに複数の商品ＩＤの一部または全部の組合せのうちの少なくとも１つに基づいて計算された、複数の商品における各商品の値引き後の価格の合計を表示する装置である。表示装置１６は、値引き後の価格情報として、各商品の値引き後の価格を表示しない。
【００２７】
入力装置１７は、操作ボタン１７ａ、カードリーダ１７ｂなどを有し、顧客による操作を検出する装置である。操作ボタン１７ａは、顧客が複数の商品１０１，１０２を台１１に置いた後に、値引き後の合計価格を表示させるために操作される。カードリーダ１７ｂは、顧客の有するＩＣカード（ＩＤ装置の一例）から顧客ＩＤを読み取る。
【００２８】
また、計算装置２は、複数の商品ＩＤの個数、並びに複数の商品ＩＤの一部または全部の組合せのうちの少なくとも１つに基づいて、複数の商品における各商品の値引き後の価格を特定し、複数の商品の値引き後の価格の合計を計算する装置である。計算装置２は、装置１により検出された複数の商品ＩＤを取得し、その商品ＩＤの組合せに対する値引き後の合計価格を計算し、装置１へ通知する。
【００２９】
計算装置２は、演算処理装置２１および通信装置２２を有する。
【００３０】
演算処理装置２１は、ＣＰＵ（Central Processing Unit）、ＲＯＭ（Read Only Memory）、ＲＡＭ（Random Access Memory）などを有するコンピュータであり、ＲＯＭまたは図示せぬ記憶装置（ハードディスクドライブ）などからＲＡＭへプログラムをロードし、ＣＰＵで実行することにより、各種処理部を実現する。演算処理装置２１では、通信部２３、個別商品価格特定部２４および合計計算部２５が実現される。
【００３１】
通信部２３は、通信装置２２を制御して、装置１およびＤＢサーバ３とデータ通信を行う処理部である。
【００３２】
個別商品価格特定部２４は、通信部２３を使用して、ＤＢサーバ３に対して問い合わせを送信し、その応答として、ＤＢサーバ３から、顧客ＩＤに対して関連付けられているログイン履歴および／または購入履歴を取得し、また、商品ＩＤに対して関連付けられている正規価格および値引き情報を取得し、取得した情報に基づいて、その商品ＩＤの値引き後の価格を特定する処理部である。
【００３３】
合計計算部２５は、装置１から取得された複数の商品ＩＤのそれぞれについて個別商品価格特定部２４により特定された値引き後の価格を合計し、装置１から取得された複数の商品ＩＤの組み合わせに対する合計価格を計算する処理部である。
【００３４】
通信装置２２は、ネットワーク４に接続され、他の装置（装置１、サーバ３など）とデータ通信を行う装置である。通信装置２２としては、例えばネットワークインタフェースが使用される。
【００３５】
また、ＤＢサーバ（データベースサーバ）３は、データ格納装置およびデータベースエンジンからなるデータベースを有し、ネットワーク４を介して問い合わせを受信すると、その問い合わせに従ってデータベースからデータを読み出し、そのデータを含む応答を送信する装置である。
【００３６】
ＤＢサーバ３は、通信装置３１、通信部３２、顧客データベース３３、および個別商品価格ＤＢ３４を有する。
【００３７】
通信装置３１は、ネットワーク４に接続され、他の装置（装置２、レジスタ５など）とデータ通信を行う装置である。通信装置３１としては、例えばネットワークインタフェースが使用される。通信部３２は、通信装置３１を制御して、装置２などとデータ通信を行う処理部である。
【００３８】
顧客データベース３３は、登録済みの各顧客ＩＤについて、顧客の属性情報、顧客のログイン履歴、購入履歴などの顧客データを有する。ログイン履歴は、商品の購入とは関係なく、顧客がこのシステムを使用した日時を含む。つまり、顧客がＩＣカードをカードリーダ１７ｂにかざし、操作ボタン１７ａを押すたびに、そのときの日時が顧客データのログイン履歴に追加される。また、レジスタ５において、ＩＣカードを読み取ることで、顧客が商品を購入した日時、購入した商品種別、金額などの購入情報がＤＢサーバ３へ送信され、顧客データのログイン履歴に追加される。
【００３９】
個別商品価格データベース３４は、登録済みの各商品ＩＤについて、商品の属性情報、商品の正規価格、値引き条件などの商品データを有する。値引き条件には、（ａ）各商品の商品価格の下限値、（ｂ）組合せ内の商品個数と値引き率（または値引き額）との対応関係、（ｃ）組合せの正規価格の合計と値引き率（または値引き額）との対応関係、（ｄ）特定商品が組合せ内に存在する場合の値引きの増加率（または増加額）などが適宜含められる。
【００４０】
なお、通信部３２、顧客ＤＢ３３のエンジン部分、および個別商品価格ＤＢ３４のエンジン部分は、それらの処理を実行するプログラムを有するコンピュータにより実現できる。
【００４１】
次に、上記システムの動作について説明する。図３は、図１に示すシステムにおいて実行される処理を説明するフローチャートである。
【００４２】
まず、図２に示すような装置１が店舗内に配置されており、さらに店舗内には、商品が陳列されている。陳列されている商品にはＩＣタグが取り付けられており、必要に応じて正規価格が記載された商品タグが取り付けられている。顧客は、予め決められている個数以上の商品を選択し、選択した商品を装置１まで持って行き、台１１の上に置く。
【００４３】
そして、顧客は、登録顧客に発行されるＩＣカードを持っていれば、そのＩＣカードをカードリーダ１７ｂにかざし、その後、操作ボタン１７ａを押す。一方、顧客は、ＩＣカードを持っていなければ、商品を置いた後、操作ボタン１７ａを押す。
【００４４】
操作ボタン１７ａが押下されると、制御装置１４は、それを検出し、検出回路１３に、商品ＩＤを検出させる（ステップＳ１）。このとき、カードリーダ１７ｂがＩＣカードを検出した場合には、制御装置１４は、カードリーダ１７ｂに、ＩＣカードから顧客ＩＤを読み取らせる。
【００４５】
そして、装置１の制御装置１４は、通信装置１５を制御して、検出された複数の商品ＩＤ（および顧客ＩＤ）を計算装置２へ送信する。このとき、複数の商品ＩＤ（および顧客ＩＤ）とともに、合計金額の計算要求が計算装置２へ送信される。計算装置２では、その複数の商品ＩＤ（および顧客ＩＤ）が、通信装置２２を介して通信部２３により受信される。
【００４６】
その複数の商品ＩＤおよび計算要求が受信されると、個別商品価格特定部２４は、受信された商品ＩＤを特定し（ステップＳ２）、ＤＢサーバ３へ問い合わせを送信して、各商品ＩＤの商品データを取得する。このとき、顧客ＩＤが併せて受信された場合には、個別商品価格特定部２４は、ＤＢサーバ３へ問い合わせを送信して、その顧客ＩＤの顧客データを取得する。
【００４７】
個別商品価格特定部２４は、各商品ＩＤの商品データ、顧客データ、および商品ＩＤの組合せに基づいて、各商品ＩＤについて、値引き後の商品価格を計算する（ステップＳ４）。
【００４８】
このとき、例えば、ある商品ＩＤの商品データにおける値引き条件が、組合せ内の商品個数が３個以上のときは１０パーセント値引き、組合せ内の商品個数が４個以上のときは１５パーセント値引き、および組合せ内の商品個数が５個以上のときは２０パーセント値引きという条件を示している場合、装置１から取得された商品ＩＤの個数が４個であり、その商品ＩＤの商品の正規価格が５０００円であると、その商品ＩＤの商品の値引き後の個別価格は、４２５０円とされる。
【００４９】
また、例えば、ある商品ＩＤの商品データにおける値引き条件が、組合せ内で、正規価格が３０００円以上である商品の個数が３個以上のときは１０パーセント値引き、その個数が４個以上のときは１５パーセント値引き、およびその５個以上のときは２０パーセント値引きという条件を示している場合、装置１から取得された商品ＩＤの個数が４個であり、そのうち、商品の正規価格が３０００円以上である商品ＩＤの個数が３個であり、その商品ＩＤの商品の正規価格が５０００円であると、その商品ＩＤの商品の値引き後の個別価格は、４５００円とされる。
【００５０】
また、例えば、セットとなる複数のアパレル商品が、組合せに含まれる場合に、値引き率を増加させたい場合には、ある商品の値引き条件に、そのセット内の他の商品の商品ＩＤが登録される。そして、ある商品ＩＤの商品データにおける値引き条件に登録されている商品ＩＤが、装置１において検出された複数の商品ＩＤに含まれている場合には、個別商品価格特定部２４は、その値引き条件に設定されている特別の値引き率（または値引き額）を適用して、その商品ＩＤの商品の値引き後の価格を決定する。
【００５１】
また、例えば、ログイン履歴から、現時点から所定の期間（例えば３ヶ月）の過去において所定の回数以上の利用がある場合には、個別商品価格特定部２４は、所定の値引き率（または値引き額）をさらに適用する。また、例えば、購入履歴から、現時点から所定の期間（例えば１年間）過去において所定の金額以上の商品を購入している場合には、個別商品価格特定部２４は、所定の値引き率（または値引き額）をさらに適用する。
【００５２】
また、個別商品価格特定部２４は、上述のようにして計算した結果、値引き後の個別価格が、値引き条件における価格の下限値より低いときには、値引き後の個別価格を下限値とする。
【００５３】
このようにして、複数の商品ＩＤのそれぞれについて個別商品価格特定部２４が値引き後の個別商品価格を決定すると、合計計算部２５は、それらの合計金額を計算し（ステップＳ５）、通信部２３を使用して、その合計金額を含む応答を、装置１へ送信する。
【００５４】
装置１では、制御装置１４が、通信装置１５を介して、その応答を受信し、その応答に含まれる合計金額を特定し、表示装置１６にその合計金額を表示させる（ステップＳ６）。このとき、各商品についての個別価格は表示されない。
【００５５】
これにより、図２に示すように配置された表示装置１６が、顧客が台１１に置いた複数の商品の値引き後の合計価格のみを表示する。
【００５６】
なお、顧客がレジスタ５において商品を購入する際、レジスタ５は、ＩＣタグから商品ＩＤを読み取り、計算装置２と同様にして、ＤＢサーバ２から顧客データおよび商品データを取得して合計金額を計算する。このとき、レジスタ５は、レシートを印刷するが、そのレシートにも、商品の個別の金額を印刷せず、価格情報として、各商品の識別情報および全商品の合計金額のみを印刷する。
【００５７】
以上のように、上記実施の形態によれば、複数の商品の販売を前提とし、各商品の個別の価格は表示せずに、複数の商品の組合せに対する価格のみを表示することで、顧客が個々の商品価格を把握しづらくしつつ、複数の商品の組合せに対する価格の値引きを実現することができる。このため、このような値引きを行う店舗（アウトレットショップなど）を正規店舗とは別に設置したとしても、正規店舗での値崩れなどが発生しづらい。また、例えば、アウトレットショップなどで顧客自らが商品を組み合わせて、その組合せの合計金額を楽しみながら確認できるため、販売促進に繋がる。
【００５８】
なお、上述の実施の形態は、本発明の好適な例であるが、本発明は、これらに限定されるものではなく、本発明の要旨を逸脱しない範囲において、種々の変形、変更が可能である。
【００５９】
例えば、上記実施の形態において、計算装置２を装置１に内蔵させてもよい。その場合、制御装置１４および通信装置１５を省略し、検出回路１３、表示装置１６および入力装置１７を計算装置２（または演算処理装置２１）の周辺機器とし、演算処理装置２１がそれらから各種データを取得するとともにそれらを制御するようにしてもよい。また、上記実施の形態において、計算装置２およびサーバ３を装置１に内蔵させてもよい。また、上記実施の形態において、サーバ３を計算装置２に内蔵させてもよい。
【００６０】
また、上記実施の形態において、ネットワーク４は、ＬＡＮ（Local Area Network）などとされるが、その代わりに、ブルートゥース（商標）、ＵＳＢ（Universal Serial Bus）などによる通信を使用してもよい。
【００６１】
また、上記実施の形態において、各商品の属するブランド種別を商品データに登録しておき、個別商品価格特定部２４は、複数の商品ＩＤから、複数の商品における同一ブランドの商品を特定し、同一ブランドの商品の、正規価格の合計、商品個数および組み合わせの少なくとも１つに基づいて、その同一ブランドの商品の個別の値引き額を決定する。例えば、５個の商品のうち、２個の商品Ａ，ＢがあるブランドＡのもので、３個の商品Ｃ，Ｄ，Ｅが別のブランドＢのものである場合、商品Ａ，Ｂには、ブランドＡで規定されている値引き条件が適用され、商品Ｃ，Ｄ，Ｅには、ブランドＢによる別の値引き条件が適用される。したがって、商品Ａ，Ｂについては、組み合わせ内の商品個数を２個として値引きを適用し、商品Ｃ，Ｄ，Ｅについては、組み合わせ内の商品個数を３個として値引きを適用することができる。また、これにより、複数ブランドが独自にかつ商品ごとに値引率を設定することができる。
【００６２】
また、上記実施の形態において、２個だと値引き後の価格が推定されやすいため、３個以上の商品のみに値引きを適用するようにしてもよい。あるいは４個以上の商品のみに値引きを適用するようにしてもよい。
【００６３】
また、上記実施の形態において、顧客として、複数の顧客ＩＤからなるグループＩＤを登録し、すべての顧客ＩＤが連続して装置１の入力装置１７で検出された場合に、特別な値引きを適用するようにしてもよい。
【００６４】
また、上記実施の形態において、図２に示す装置１を複数個配列させて設置してもよい。その場合、図２に示す装置１の台１１の壁に、アンテナ１２と別の装置１におけるＩＣタグとの間の電波または電磁波を遮断する遮蔽材を含めてもよい。これにより、隣接する別の装置１に置かれた商品を検出回路１３が誤検出しないようにすることができる。
【産業上の利用可能性】
【００６５】
本発明は、例えば正規店舗以外の店舗において、商品販売を支援する装置に適用可能である。
【符号の説明】
【００６６】
１  商品組合せ価格表示装置
２  計算装置（計算手段の一例）
１１  台
１３  検出回路（検出手段の一例）
１６  表示装置（表示手段の一例）
１７  入力装置
１７ｂ  カードリーダ（ＩＤリーダの一例）
【図１】
2010204787.tif 000003
【図２】
2010204787.tif 000004
【図３】
2010204787.tif 000005